(57)【要約】【課題】壁面に衛生器具を取り付けるにあたって工程を簡略にし得る衛生器具の取付構造および施工方法を提供する。【解決手段】建物の内装として設置される壁面２に対し、壁掛け衛生器具１を壁面２の裏側から支持する架台３に、壁掛け衛生器具１の周辺の壁面２内に配置され、壁面２の裏側の給水配管と、壁面２の手前の給水配管とを接続する接続点部材６と、壁掛け衛生器具１の周辺の壁面２内に配置され、壁面２の裏側の電気配線と、壁面２の手前の電気配線とを接続する接続点部材７とを支持する。【選択図】図１
2019163667.tif 000002
【特許請求の範囲】
【請求項１】
建物の内装として設置される壁面に対し、壁掛け衛生器具を前記壁面の裏側から支持する架台に、
前記壁掛け衛生器具の周辺の壁面内に配置され、前記壁面の裏側の給水配管と、前記壁面の手前の給水配管とを接続する接続点部材と、
前記壁掛け衛生器具の周辺の壁面内に配置され、前記壁面の裏側の電気配線と、前記壁面の手前の電気配線とを接続する接続点部材と
を支持したことを特徴とする壁掛け衛生器具の取付構造。
【請求項２】
前記壁面の裏側の給水配管と、前記壁面の手前の給水配管とを接続する接続点部材は、配管を接続するニップルであり、
前記壁面の裏側の電気配線と、前記壁面の手前の電気配線とを接続する接続点部材は電源アウトレットボックスであること
を特徴とする請求項１に記載の壁掛け衛生器具の取付構造。
【請求項３】
前記架台は、
床面に固定されると共に前記壁掛け衛生器具を支持する下脚部と、
該下脚部に対して取り付けられ、前記壁掛け衛生器具の周辺の壁面内に配置される器具を支持する周辺取付部と
を備えていることを特徴とする請求項１または２に記載の壁掛け衛生器具の取付構造。
【請求項４】
前記周辺取付部は、前記下脚部の前面をなす部材の周囲に取り付けられる縁材を備えていること
を特徴とする請求項３に記載の壁掛け衛生器具の取付構造。
【請求項５】
請求項１〜４のいずれか一項に記載の壁掛け衛生器具の取付構造を用い、
前記壁面の裏側の給水配管と、前記壁面の手前の給水配管とを接続する接続点部材と、前記壁面の裏側の電気配線と、前記壁面の手前の電気配線とを接続する接続点部材を取り付けた前記架台を設置するステップの後に、
前記壁面を設置するステップを実行すること
を特徴とする壁掛け衛生器具の施工方法。
【発明の詳細な説明】
【技術分野】
【０００１】
本発明は、建物内の壁面に設置される壁掛け衛生器具を取り付けるための構造、および衛生器具を取り付ける際の施工方法に関する。
【背景技術】
【０００２】
建物内には、ボード壁やパネル壁として構成される壁面に対し、便器のような衛生器具が取り付けられる場合がある。このような壁掛け衛生器具を取り付ける際の構造に関する技術として、例えば、下記特許文献１に記載の取付部材がある。下記特許文献１に記載の取付部材は、床面に固定される底板と、該底板の前部から垂直方向に延びる柱材を備えており、便器の背面の左右が一対の柱材の前面に固定されるようになっている。柱材と底板は壁面の裏側と一部内側に位置するように設置され、便器および該便器を支持する一部の部材が壁面から突出する形で、壁掛式の便器が壁に対して取り付けられるようになっている。
【先行技術文献】
【特許文献】
【０００３】
【特許文献１】特開２０１６−１７６２６８号公報
【発明の概要】
【発明が解決しようとする課題】
【０００４】
ところで、便器が設置される壁面には、下地として鉄鋼等の構造材が内側に設けられる。軽量鉄鋼下地等と称されるもので、洗面所の間仕切り等に設けられる下地（軽量鉄鋼壁下地）の場合、壁の上下端にあたる位置にランナと呼ばれるコの字断面の部材を配置し、その間にスタッドと呼ばれる部材を垂直方向に沿って立て、それらの表面にボードやパネルを貼って壁面とする。このような下地を備えた壁の壁面に、上記特許文献１に記載の如き取付部材により便器を設置する場合には、取付部材と下地とが互いに干渉しないように配置を決めて施工する必要がある。
【０００５】
また、便器のような衛生器具を設置する場合、器具洗浄用の水を引き込み、また衛生器具から水を排出するための配管をあわせて施工する必要がある。さらに、近年ではおしりシャワー機能や暖房便座機能といった付加機能を備えた便器、便器ケーシング内に電動フラッシュ弁を内蔵した便器等が一般化しており、それらに電力を供給するための電源アウトレットボックスや配線も便器の周辺に必要である。おしりシャワー機能を備えた便器の場合、便器内を洗浄するための水のほかに、シャワーへの上水を供給する給水配管も別途備えなくてはならない。壁面には、こうした配管設備や電気設備を取り付けるための工事も必要であるし、その際には、これらが壁面内の下地と干渉しないように施工する必要がある。
【０００６】
建物の内装として設置される壁面に、衛生器具として便器を設置する場合の施工手順の一例を、図４にフローチャートとして示す。まず、壁面の位置の墨出しをする（ステップＳ１）。建物の床面等に、壁を設置する位置を、壁面を構成するボードや下地（ランナ、スタッド）の配置がわかるよう、インク等により描き出す。続いて、墨出しされた壁面の位置に基づき、衛生器具を設置するための取付部材の位置の墨出しをする（ステップＳ２）。すなわち、ステップＳ１で墨出しされた壁面のどの位置に衛生器具を設置するかを描き出す。このとき、ランナやスタッドの位置ずらし要求等も合わせて描き込む。続いて、衛生器具を固定する取付部材を、ステップＳ２にて墨出しされた衛生器具の位置に合わせて設置する（ステップＳ３）。その上で、壁面を構成する下地を設置する（ステップＳ４）。設置される壁が上述の軽量間仕切りである場合、下地としてランナやスタッドを立てる。下地を設置したら、該下地に対し、図面内で配管設備や電気設備の寸法出しをする（ステップＳ５）。設置される予定の壁面に対し、配管設備や電気設備を設置する開口等を設ける位置を図面内で決定した後、開口周囲を補強するためのスタッドやランナの追加材料の墨出しをする。墨出しに基づき、ボードやパネルに開口が設けられ、下地に貼り付けられて壁面が形成される（ステップＳ６）。配管設備、電気設備を設置する（ステップＳ７）。つまり、給水のための配管や給水口、電気の供給のための電源ボックスや電気配線を設置する。便器を設置し、配管の水圧テスト等を行い、施工が完了する。
【０００７】
このように、壁面に便器等の衛生器具を取り付ける場合、壁面と衛生器具との兼ね合い上、壁面に関する施工工程と、衛生器具や配管設備、電気設備に関する施工工程が複雑に交錯する。衛生器具や配管設備、電気設備に係る工事のほとんどは、壁面に係る工程がほぼ終了するまでは開始できないからである。そして通常、壁面を施工する者（建築業者等）と、衛生器具や配管設備、電気設備を施工する者（設備業者等）は異なる。図４に即して説明すると、ステップＳ１，Ｓ４，Ｓ６は建築業者等が行うが、ステップＳ２，Ｓ３，Ｓ５，Ｓ７は設備業者等が行う。このため、図４に示す如き手順を実行するにあたっては、同一の現場において施工を作業を行う者が頻繁に入れ替わったり、あるいは両者の間でその都度打ち合わせを行うことが必要になるなど、手順が複雑化して工期の長期化を招く要因となっていた。
【０００８】
本発明は、斯かる実情に鑑み、壁掛け衛生器具を取り付けるにあたって工程を簡略にし得る衛生器具の取付構造および施工方法を提供しようとするものである。
【課題を解決するための手段】
【０００９】
本発明は、建物の内装として設置される壁面に対し、壁掛け衛生器具を前記壁面の裏側から支持する架台に、
前記壁掛け衛生器具の周辺の壁面内に配置され、前記壁面の裏側の給水配管と、前記壁面の手前の給水配管とを接続する接続点部材と、
前記壁掛け衛生器具の周辺の壁面内に配置され、前記壁面の裏側の電気配線と、前記壁面の手前の電気配線とを接続する接続点部材と
を支持したことを特徴とする壁掛け衛生器具の取付構造にかかるものである。
【００１０】
本発明の壁掛け衛生器具の取付構造においては、前記壁面の裏側の給水配管と、前記壁面の手前の給水配管とを接続する接続点部材は、配管を接続するニップルであり、
前記壁面の裏側の電気配線と、前記壁面の手前の電気配線とを接続する接続点部材は電源アウトレットボックスにすることができる。
【００１１】
本発明の壁掛け衛生器具の取付構造において、前記架台は、床面に固定されると共に前記壁掛け衛生器具を支持する下脚部と、
該下脚部に対して取り付けられ、前記壁掛け衛生器具の周辺の壁面内に配置される器具を支持する周辺取付部とを備えていることが好ましい。
【００１２】
本発明の壁掛け衛生器具の取付構造において、前記周辺取付部は、前記下脚部の前面をなす部材の周囲に取り付けられる縁材を備えていることが好ましい。
【００１３】
また、本発明は、上述の壁掛け衛生器具の取付構造を用い、
前記壁面の裏側の給水配管と、前記壁面の手前の給水配管とを接続する接続点部材と、前記壁面の裏側の電気配線と、前記壁面の手前の電気配線とを接続する接続点部材を取り付けた前記架台を設置するステップの後に、
前記壁面を設置するステップを実行すること
を特徴とする壁掛け衛生器具の施工方法にかかるものである。
【００１４】
本発明の壁掛け衛生器具の取付構造および施工方法によれば、壁面に衛生器具を取り付けるにあたって工程を簡略にし得るという優れた効果を奏し得る。
【図面の簡単な説明】
【００１５】
【図１】本発明の実施による壁掛け衛生器具の取付構造の形態の一例を示す斜視図である。
【図２】本実施例の壁掛け衛生器具の取付構造により、壁掛け衛生器具を壁面に取り付けた状態の一例を示す正面図である。
【図３】本実施例の壁掛け衛生器具の取付構造により、壁掛け衛生器具を取り付ける際の施工の手順の一例を説明するフローチャートである。
【図４】壁掛け衛生器具を取り付ける際の従来における施工の手順の一例を説明するフローチャートである。
【発明を実施するための形態】
【００１６】
以下、本発明の実施の形態を添付図面を参照して説明する。
【００１７】
図１、図２は本発明の実施による壁掛け衛生器具の取付構造の形態の一例を示している。本実施例の壁掛け衛生器具の取付構造は、便器等である壁掛け衛生器具１を、建物の内装として設置される壁面２に取り付けるための架台３を備えている。尚、以下では便器等である壁掛け衛生器具１に着座した使用者にとっての向きを基準として、前後および上下左右の方向を規定するものとする。
【００１８】
架台３は、床面４に固定され、壁掛け衛生器具１を支持する下脚部５と、該下脚部５に給水ニップル６や電源アウトレットボックス７といった接続点部材を支持する周辺取付部８を備えている。
【００１９】
下脚部５の構成は、上記特許文献１に記載の取付部材と共通しており、２枚の底板９の上側に、それぞれ垂直方向に沿って延びる柱材１０を備えている。底板９にはそれぞれ４つの貫通孔９ａが備えられ、図示しないボルト等の固定構造により、底板９が床面４に固定されるようになっている。
【００２０】
一対の柱材１０は、垂直方向に沿って平行に伸び、下脚部５および架台３の前面をなしている。柱材１０は、例えば金属板を屈曲したアングル材で形成され、下部は図示しない取付具や、あるいは溶接によって底板９に固定される。柱材１０の上部には、壁掛け衛生器具１を固定するための固定部１０ａが設けられている。固定部１０ａは、例えば柱材１０を前後に貫通する長孔と、ボルトやナット等の締結具を備え、ここに壁掛け衛生器具１の上部が固定される。固定部１０ａの長孔は、上下方向に長手方向を有し、下脚部５に対する衛生器具１の固定位置を上下方向に調整できるようになっている。
【００２１】
柱材１０の下部には、一対の柱材１０同士を連結する横材１１を取り付けるための連結部１０ｂが備えられている。連結部１０ｂは、例えば柱材１０を前後に貫通する長孔と、ボルトやナット等の締結具を備えている。横材１１は、例えば垂直方向に沿った面をなして左右に延びる板材であり、両端部がそれぞれ柱材１０の連結部１０ｂと連結されるようになっている。横材１１の左右方向中間部には、前方に突出する支持部１１ａが備えられており、柱材１０の固定部１０ａに上部を固定された壁掛け衛生器具１の下部が支持部１１ａに当接するようになっている。そして、壁掛け衛生器具１の自重や、衛生器具１に着座した使用者の重みにより、固定部１０ａを中心に生じるモーメントを支持部１１ａにおいて受け止め、衛生器具１の姿勢を保つようになっている。
【００２２】
こうして、底板９や柱材１０、横材１１といった部材の主要な部分は壁面２の裏側に隠れ、固定部１０ａの一部（ボルトやナット等）や支持部１１ａが壁面２を構成するボードやパネルから露出した状態で、壁掛け衛生器具１が下脚部５により壁面２に対して支持される。
【００２３】
そして、本実施例の特徴は、架台３を構成する下脚部５にさらに周辺取付部８を備え、該周辺取付部８に、壁掛け衛生器具１の周辺に配置される給水ニップル６や電源アウトレットボックス７といった接続点部材を取り付けた点にある。尚、本明細書でいう接続点部材とは、壁面２の裏側に位置する配管や配線の構造と、手前側に位置する配管や配線の構造とを壁面２の位置で接続する部材を指す。本実施例では、壁掛け衛生器具１として大便器を想定しており、大便器である壁掛け衛生器具１の設置および使用にあたって特に好適である給水ニップル６や電源アウトレットボックス７を接続点部材として想定しているが、本発明を実施するにあたり、架台３に取り付けられる接続点部材はこれに限定されるものではなく、壁掛け衛生器具１の周辺の壁面２に配置され得る接続点部材であれば適用することができる。
【００２４】
また、本実施例では下脚部５として、上記特許文献１に記載の取付部材と共通する構造のものを説明したが、下脚部５の構成はこれに限定されない。下脚部５を含む架台３の全体が、壁面２に取り付けられる壁掛け衛生器具１を好適に支持できるようになっていれば、どのような構成であっても良い。ただし、もともと壁掛け衛生器具１を設置する目的で設計されている部材を下脚部５として使用し、該下脚部５に周辺取付部８を追加で取り付けるようにすれば、より簡単に本実施例の如き架台３を構成することができる。
【００２５】
周辺取付部８は、下脚部５の左右および上方を包囲するコの字型の部材であり、下脚部５の上方に位置する縁材（上縁材）８ａ、右に位置する縁材（右縁材）８ｂ、左に位置する縁材（左縁材）８ｃを備えて構成されている。右縁材８ｂは、下脚部５を構成する右側の柱材１０の右側に、該柱材１０に沿って前面を面一にして配置され、柱材１０の右側面に対して固定される。左縁材８ｃは、下脚部５を構成する左側の柱材１０の左側に、該柱材１０に沿って前面を面一にして配置され、柱材１０の左側面に対して固定される。上縁材８ａは、左右の縁材８ｂ，８ｃの上端部同士の間に張り渡される形で設置され、両端部は左右の縁材８ｂ，８ｃと連結している。
【００２６】
縁材８ａ，８ｂ，８ｃは、コの字型を構成する全体を一枚の金属板を折り曲げて形成することもできるし、あるいはアングル材や棒状の部材同士をコの字型に接続することで形成しても良い。また、縁材８ｂ，８ｃを下脚部５に連結するにあたっては、図示しない締結具等を用いても良いし、溶接しても良い。下脚部５の周囲に、給水ニップル６や電源アウトレットボックス７といった接続点部材を好適に支持できるようになっていれば何でも良い。
【００２７】
給水ニップル６は、例えば便器である壁掛け衛生器具１に水を供給するための給水配管６ｃ,６ｄを接続する部材である。本実施例では、便器である衛生器具１がおしりシャワー機能を備えている場合を想定し、右縁材８ｂの下部の右側、および上縁材８ａの左側端部寄りの位置に、それぞれ接続点部材として給水ニップル６ａ，６ｂを取り付けている。衛生器具１の使用時においては、おしりシャワー用の水（上水）が給水ニップル６ａから、器具洗浄用の水（上水または中水）が給水ニップル６ｂから、それぞれ供給される。
【００２８】
電源アウトレットボックス７は、例えば壁掛け衛生器具１が電気によって作動する機構（シャワー機能や、暖房便座機能、非接触スイッチ等によりフラッシュ弁を作動させる電動フラッシュ弁機構等）を備えている場合に、壁掛け衛生器具１へ電気を供給するための電気配線の電源接続点をなす。本実施例の場合、右縁材８ｂの下部の上下方向中間部、および上縁材８ａの右側端部寄りの位置に、それぞれ電源アウトレットボックス７ａ，７ｂを取り付けている。壁掛け衛生器具１の使用時においては、便器である壁掛け衛生器具１のおしりシャワー機能や、暖房便座機能といった各種機能を動作させるための電力が電源アウトレットボックス７ａから、また、図示しない自動フラッシュ機構を動作させるための電力が電源アウトレットボックス７ｂから、それぞれ供給される。
【００２９】
電源アウトレットボックス７ａは、右縁材８ｂに直接取り付けられるのではなく、右縁材８ｂの右側に突出するように設けた突出部８ｄの右側に取り付けられている。これは、電源アウトレットボックス７ａが衛生器具１に対しあまり近接して配置されると、衛生器具１が設置された状態において電源アウトレットボックス７ａを使用しにくいといった配慮によるものである。
【００３０】
電源アウトレットボックス７ａ，７ｂは、周辺取付部８に前面が面一となるように配置される。そして、最終的な設置状態においては、下脚部５と同様、周辺取付部８本体が壁面２の裏側に隠れる。また、給水ニップル６ａ，６ｂおよび電源アウトレットボックス７ａ，７ｂは、衛生器具１の周囲の壁面２において、ランナ２ａやスタッド２ｂの手前側の面と前面を合わせるように設置される。
【００３１】
給水ニップル６や電源アウトレットボックス７といった接続点部材を壁面２に配置するにあたっては、壁面２を構成するボードに適宜開口を設けてその縁に化粧材を施し、接続点部材をボード厚分だけ奥まった位置に配置する。給水ニップル６は、例えば壁面２を構成するボードに穴を空けた奥に見通せて位置するように設置し、接続時には給水配管６ｃ,６ｄを手前よりボードを貫通した状態でボードの表と裏から締結する。
【００３２】
ここで、接続点部材を壁面２のボード面表面に露出することとしてもよい。給水ニップル６は、例えば壁面２をなすボードの厚みに合わせて貫通して頭が出るよう設定し、該ボードを貫通して所定の雄ねじ長露出するように設置し、表側からナット等の締結具により固定する。接続時には、ボードの表裏の給水配管６ｃ,６ｄを給水ニップル６を介して接続する。また、電源アウトレットボックス７は、例えば塗り代カバーを縁化粧の代わりにボードの表側からボックス本体に嵌め込み、壁面２に電源プラグの差込口が露出するように固定する。
【００３３】
このように、本実施例の壁掛け衛生器具１の取付構造においては、架台３に周辺取付部８を設け、壁掛け衛生器具１の周囲に配置される給水ニップル６や電源アウトレットボックス７を、架台３に一体的に取り付けるようにしている。このため、後述する壁掛け衛生器具１や壁面２の施工時において、配管設備や電気設備といった周辺の設備の位置決めに係る工程を省略し、施工工程を簡略化することができる。
【００３４】
すなわち、本実施例のようにすれば、現場における施工の工程に先んじて、工場において給水ニップル６や電源アウトレットボックス７を架台３に対して設置し、これらの接続点部材の配置を固定してしまうことができるのである。また、複数の壁掛け衛生器具１の設置を予定している場合、現場でそれらの壁掛け衛生器具１に対して一つひとつ接続点部材６，７の位置決めを行うのではなく、壁掛け衛生器具１を支持する架台３の全台に対し、工場にて一括で給水ニップル６や電源アウトレットボックス７の取り付け作業を行うことができる。したがって、各壁掛け衛生器具１に対する給水ニップル６や電源アウトレットボックス７の位置関係を容易に統一することができる。現場において複数の壁掛け衛生器具１を設置するにあたり、各壁掛け衛生器具１の周辺の壁面２の寸法等を測定し、個別に給水ニップル６や電源アウトレットボックス７の位置決めをすることで寸法や位置関係を統一するような手間が不要である。ほとんどの場合、特定の工事現場に設置する壁掛け衛生器具１は、同一の洗面所内に複数が設置される場合は無論のこと、異なった階の間でも同じ形式の壁掛け衛生器具１が採用されることが多く、このような現場への衛生器具１の設置において、狭い作業環境で慌しい現場に入る前に工場という別環境で下準備を行い、接続点部材６，７を衛生器具１に対して先に位置決めできる本実施例の如き構成は特に便利である。
【００３５】
本実施例の如く、壁掛け衛生器具１を壁面２に取り付ける架台３を利用して周辺の給水ニップル６や電源アウトレットボックス７といった接続点部材を取り付けることは、壁掛け衛生器具１の周辺に設置されるこれらの部材の配置にあたって特に便利である。架台３を構成する下脚部５は、もともと壁掛け衛生器具１を壁面２に対し好適に取り付けるべく、壁掛け衛生器具１に対向する面をなす柱材１０や横材１１のうち、一部部材（固定部１０ａや支持部１１ａ）を除く大部分が壁面２をなすボードやパネルの裏側に沿うように配置されるようになっている。そこで、本実施例においては、柱材１０のなす面に沿うよう、柱材１０の周囲に縁材８ａ，８ｂ，８ｃを備えて周辺取付部８を形成し、ここに壁掛け衛生器具１周辺の壁面２に配置される給水ニップル６や電源アウトレットボックス７を取り付けるようにしている。このようにすれば、もともと壁面２を構成するボードの裏側に沿う面をなして配置されるよう設計された柱材１０に対し、前後方向における位置を合わせるように給水ニップル６や電源アウトレットボックス７を配置することになるので、これらの接続点部材６，７を壁面２に対し、前後方向に関して適切な位置に簡単に配置することができるのである。
【００３６】
また、前後方向に直交する向きに関する位置は、周辺取付部８を構成する各部材（縁材８ａ，８ｂ，８ｃ）の幅や長さ、下脚部５への取付位置等により適宜調整することができる。一部の部材（ここでは、電源アウトレットボックス７ａ）に関し、衛生器具１から特に大きく離間させる必要がある場合には、適宜突出部８ｄのような構造を設け、下脚部５から離れた位置に設置すれば良い。
【００３７】
また、従来であれば壁面２によって支持していた給水ニップル６や電源アウトレットボックス７を、本実施例のように架台３に取り付けるようにすることで、これらの器具をより強固に固定できるという利点もある。架台３は、壁面２を構成するボードや下地（ランナ２ａやスタッド２ｂ。図２参照）と比較して、取り付けに必要な剛性や強度を確保しやすい。器具の取り付けに際し、後付けの金具等も不要であり、作業も簡便である。
【００３８】
次に、上記した架台３を用い、衛生器具１や壁面２を設置する際の施工手順の一例を、図３のフローチャートを参照しながら説明する。
【００３９】
まず、壁面の位置の墨出しをする（ステップＳ１１）。建物の床面４等に、壁面２を設置する位置を、壁面を構成するボードや下地（ランナ、スタッド）の配置がわかるよう、インク等により描き出す。続いて、墨出しされた壁面の位置に基づき、衛生器具を設置するための取付部材の位置の墨出しをする（ステップＳ１２）。すなわち、ステップＳ１１で墨出しされた壁面２のどの位置に衛生器具１を設置するかを描き出す。このとき、ランナやスタッドの位置ずらし要求等も合わせて描き込む。ここまでは、従来例（図４参照）におけるステップＳ１，Ｓ２と同様である。
【００４０】
続いて、衛生器具１を固定する架台３を、ステップＳ１２にて墨出しされた衛生器具１の位置に合わせて設置する（ステップＳ１３）。ここで、架台３には予め、周辺取付部８を介して給水ニップル６や電源アウトレットボックス７が配置されている（図１、図２参照）。
【００４１】
架台３を設置したら、壁面２の設置（ステップＳ１４）に先行して、あるいは並行して、配管設備や電気設備の施工（ステップＳ１５）を行うことができる。
【００４２】
ステップＳ１５は、各給水ニップル６ａ，６ｂにそれぞれ水を導く給水配管６ｃ，６ｄ、および、各電源アウトレットボックス７ａ，７ｂにそれぞれ電気を導く給電ケーブル（電気配線）７ｃ，７ｄを設置し、接続する。本実施例の場合、配管設備のうち給水ニップル６ａ，６ｂの設置は済んでおり、また、電気設備のうち電源アウトレットボックス７ａ，７ｂの設置は済んでいるので、このステップＳ１５では給水ニップル６ａ，６ｂおよび電源アウトレットボックス７ａ，７ｂの設置は必要ない。
【００４３】
配管や配線の設置が済んだら、例えば給水ニップル６に閉止プラグを仮止めし、給水主管から給水ニップル６ａ，６ｂまでの配管の水圧テストを行う。また、コンセント差込口までの電気配線を電源アウトレットボックス７ａ，７ｂに接続したら、絶縁試験を行う。
【００４４】
一方、ステップＳ１４では、まず図２に一点鎖線にて示す如く、架台３や、その周辺に配置された給水ニップル６、電源アウトレットボックス７を避けるように、壁面２の構成材である下地としてのランナ２ａやスタッド２ｂを設置する。そして、ステップＳ１５にあたる各種の工事の後、壁面２を構成するボードやパネルに所定の開口を施して下地に貼り付け、架台３のうち壁面２から突出する箇所に壁掛け衛生器具１が掛けられて固定される。さらに、壁面２の表側および裏面から接続点部材以降の配管工事、電気工事を行い、一連の施工が完了する。
【００４５】
ここで、従来であれば、下地を設置した上で、設置を予定される壁面に対して配水器具や電気器具の位置決め（寸法出し）をし、開口を設けたボードを下地に貼り付けてから該配水器具や電気器具を設置する必要があった（図４、ステップＳ４〜Ｓ６参照）。一方、本実施例において、ステップＳ１５は、ステップＳ１４の壁面２の設置に先行して、あるいはステップＳ１４と平行して行うことができる。従来の施工方法（図４参照）では、壁面２の下地を設置し、また補強下地材を設置してから該壁面に対して各接続点部材を設置して給水配管を配管し、給電ケーブルを配線するという順序で各手順を実行せざるを得ず、配管設備や電気設備の施工は早くとも壁面の下地の施工後となっていたが、本実施例では壁面２の設置に先行して配水器具や電気器具が設置されるので、壁面２の設置の完了を待たずに給水配管６ｃ，６ｄや給電ケーブル（電気配線）７ｃ，７ｄの施工を行うことができるのである。
【００４６】
このように、本実施例の場合、架台３に予め給水ニップル６や電源アウトレットボックス７が配置されているので、寸法出しの工程を省略し、工程同士の交錯を減らして手順を単純化することができる。こうして、給水ニップル６や電源アウトレットボックス７の設置に関する工程の一部を省略して施工に係る手間や時間を節減することができる。同一の現場において施工を作業を行う者が入れ替わる手間や、各ステップの施工者間で打ち合わせを行う手間を節減することができ、工期の大幅な短縮を図ることができる。
【００４７】
ステップＳ１５をステップＳ１４に先行して実施する場合には、ランナ２ａやスタッド２ｂが林立した狭い空間で工事する必要がないので、各設備の設置作業を楽に実行でき、工事費も安価に抑えることができる。また、ステップＳ１５をステップＳ１４と平行して実施する場合には、工期を一層短縮することができる。
【００４８】
以上のように、上記本実施例の壁掛け衛生器具の取付構造においては、建物の内装として設置される壁面２に対し、壁掛け衛生器具１を壁面２のボードやパネルの裏側から支持する架台３に、壁掛け衛生器具１の周辺の壁面２内に配置され、壁面２の裏側の給水配管と、壁面２の手前の給水配管とを接続する接続点部材６と、壁掛け衛生器具１の周辺の壁面２内に配置され、壁面２の裏側の電気配線と、壁面２の手前の電気配線とを接続する接続点部材７とを支持している。こうすることにより、壁掛け衛生器具１や壁面２の施工時において、周辺の設備の位置決めに係る工程を省略し、施工工程を簡略化することができる。また、接続点部材６，７をより強固且つ簡便に固定することができる。
【００４９】
本実施例の衛生器具の取付構造において、壁面２の裏側の給水配管と、壁面２の手前の給水配管とを接続する接続点部材６は、配管を接続する給水ニップルであり、壁面２の裏側の電気配線と、壁面２の手前の電気配線とを接続する接続点部材７は電源アウトレットボックスであるので、便器等である壁掛け衛生器具１を設置し、使用するにあたって特に好適である。
【００５０】
本実施例の壁掛け衛生器具の取付構造において、架台３は、床面４に固定されると共に衛生器具１を支持する下脚部５と、該下脚部５に対して取り付けられ、壁掛け衛生器具１の周辺の壁面２内に配置される接続点部材６，７を支持する周辺取付部８とを備えているので、より簡単な構成で本発明を実施することができる。
【００５１】
本実施例の壁掛け衛生器具の取付構造において、周辺取付部８は、下脚部５の前面をなす部材（柱材１０）の周囲に取り付けられる縁材８ａ，８ｂ，８ｃを備えているので、もともと壁面２に沿って配置されるよう設計された部材（柱材１０）に対し、前後方向における位置を合わせるように接続点部材６，７を配置することになり、これらの接続点部材６，７を壁面２に対し、前後方向に関して適切な位置に簡単に配置することができる。
【００５２】
また、本実施例の衛生器具の施工方法においては、上述の壁掛け衛生器具１の取付構造を用い、壁面２の裏側の給水配管と、壁面２の手前の給水配管とを接続する接続点部材６と、壁面２の裏側の電気配線と、壁面２の手前の電気配線とを接続する接続点部材６，７を取り付けた架台３を設置するステップＳ１３の後に、壁面２を設置するステップＳ１４を実行するようにしている。こうすることにより、壁面２の設置の完了を待たずに配管設備や電気設備の設置を行うことができる。
【００５３】
したがって、上記本実施例によれば、壁掛け衛生器具を取り付けるにあたって工程を簡略にし得る。
【００５４】
尚、本発明の壁掛け衛生器具の取付構造および施工方法は、上述の実施例にのみ限定されるものではない。例えば、壁掛け衛生器具としては大便器のほかに小便器やその他の器具も想定し得ること等、本発明の要旨を逸脱しない範囲内において種々変更を加え得ることは勿論である。
【符号の説明】
【００５５】
１    衛生器具（便器）
２    壁面
３    架台
４    床面
５    下脚部
６    給水ニップル（接続点部材）
７    電源アウトレットボックス（接続点部材）
８    周辺取付部
８ａ  縁材（上縁）
８ｂ  縁材（右縁）
８ｃ  縁材（左縁）
１０    部材（柱材）
【図１】
2019163667.tif 000003
【図２】
2019163667.tif 000004
【図３】
2019163667.tif 000005
【図４】
2019163667.tif 000006